(57)【要約】【課題】装用感の悪化や酸素透過性能の低下、レンズ寿命の低下、視力の低下、角膜障害等の問題の発生が可及的に回避され得るような、装用者に適合するコンタクトレンズとそのケアシステムを選定することで、眼に対する安全性を高度に確保する方法を、提供すること。【解決手段】装用者に、汚れ検査用コンタクトレンズをその汚れ検査に必要な所定の短時間の間装用せしめることにより、汚れの付着した汚れ検査用コンタクトレンズを得て（ステップ：Ｓ５）、蛋白質汚れの付着量及び／又は脂質汚れの付着量を検出し（ステップ：Ｓ６）、その検出された汚れ付着量に基づいて、複数のコンタクトレンズ群及び複数のケアシステム群の中から、前記装用者に適合するコンタクトレンズとそのケアシステムの組合せを選定する（ステップ：Ｓ７）。【選択図】          図４
2004212813.tif 000002
【特許請求の範囲】
【請求項１】
汚れ検査用コンタクトレンズをその汚れ検査に必要な所定の短時間の間装用せしめることによって得られる、汚れの付着した汚れ検査用コンタクトレンズを準備するステップと、
この得られた汚れ検査用コンタクトレンズから、蛋白質汚れの付着量及び／又は脂質汚れの付着量を検出するステップと、
該検出された汚れ付着量に基づいて、複数のコンタクトレンズ及び複数のケアシステムの中から、前記装用者に適合するコンタクトレンズとそのケアシステムの組合せを選定するステップとを、
含むことを特徴とするコンタクトレンズとそのケアシステムの選定方法。
【請求項２】
前記汚れ検査用コンタクトレンズの装用時間が、１５分以内である請求項１に記載のコンタクトレンズとそのケアシステムの選定方法。
【請求項３】
前記汚れ検査用コンタクトレンズの装用時間が、５分以内である請求項１に記載のコンタクトレンズとそのケアシステムの選定方法。
【請求項４】
前記汚れ付着量の検出が、
前記汚れの付着した汚れ検査用コンタクトレンズに対して、該汚れを励起させて蛍光を生ぜしめ得る励起光を照射するステップと、
かかる励起光の照射によって該汚れ検査用コンタクトレンズに付着した汚れから生じる蛍光にて形成されるレンズ蛍光像を、ＣＣＤカメラで検知するステップと、
該検知されたレンズ蛍光像の蛍光強度から、前記汚れ検査用コンタクトレンズに付着した汚れ付着量を求めるステップとを、
含む蛍光分光分析法により、行なわれる請求項１乃至請求項３の何れかに記載のコンタクトレンズとそのケアシステムの選定方法。
【請求項５】
前記汚れの付着した汚れ検査用コンタクトレンズにおける蛋白質汚れを検出するに際し、前記励起光として２８０〜３２０ｎｍの波長の光が用いられる一方、前記汚れの付着した汚れ検査用コンタクトレンズにおける脂質汚れを検出するに際し、前記励起光として３４０〜３８０ｎｍの波長の光が用いられる請求項４に記載のコンタクトレンズとそのケアシステムの選定方法。
【請求項６】
前記汚れ付着量の検出が、
前記汚れの付着した汚れ検査用コンタクトレンズを、該汚れを発色し得る試薬を含有する溶液に接触させ、汚れを発色せしめるステップと、
かかる発色された汚れ検査用コンタクトレンズを、ＣＣＤカメラにて撮像して、レンズ発色像を検知するステップと、
該検知されたレンズ発色像の発色強度から、前記汚れ検査用コンタクトレンズに付着した汚れ付着量を求めるステップとを、
含む比色分析法により、行なわれる請求項１乃至請求項３の何れかに記載のコンタクトレンズとそのケアシステムの選定方法。
【請求項７】
前記汚れ検査用コンタクトレンズが、５０％以上の含水率を有し、且つ、イオン性基含有モノマーを１重量％以上の割合において結合含有する重合体からなるイオン性コンタクトレンズである請求項１乃至請求項６の何れかに記載のコンタクトレンズとそのケアシステムの選定方法。
【請求項８】
前記汚れ検査用コンタクトレンズが、シリコーン含有モノマーを５０重量％以上の割合において結合含有する重合体からなる非含水性硬質コンタクトレンズである請求項１乃至請求項６の何れかに記載のコンタクトレンズとそのケアシステムの選定方法。
【請求項９】
前記汚れ検査用コンタクトレンズが、１０％以上の含水率を有し、且つ、シリコーン含有モノマーを４０重量％以上の割合において結合含有する重合体からなる含水性軟質コンタクトレンズである請求項１乃至請求項６の何れかに記載のコンタクトレンズとそのケアシステムの選定方法。
【請求項１０】
前記装用者の指定したコンタクトレンズとそのケアシステムの組合せが、前記汚れ付着量に基づいて選定された前記コンタクトレンズとそのケアシステムの組合せと比較されて、その適合性が判定されるステップを、
更に含むことを特徴とする請求項１乃至請求項９の何れかに記載のコンタクトレンズとそのケアシステムの選定方法。
【請求項１１】
前記複数のコンタクトレンズ及び前記複数のケアシステムの中から、それぞれ１種ずつを選択して組み合わせ、その組合せ毎に、充分な装用期間にわたって、複数の被験者に、該組み合わされたコンタクトレンズの装用とそのケアを行なわせた後、そのコンタクトレンズの蛋白質汚れの付着量及び／又は脂質汚れの付着量を検出し、該検出された複数の被験者の汚れ付着量の分布を、複数に分割して、該組合せにおける適合性の等級分けを行なう一方、前記複数の被験者に、前記装用者と同様にして、汚れ検査用コンタクトレンズを装用せしめて、該汚れ検査用コンタクトレンズにおける蛋白質汚れの付着量及び／又は脂質汚れの付着量を検出し、前記組合せにおける被験者の汚れ付着量と、前記汚れ検査用コンタクトレンズにおける被験者の汚れ付着量との相関を求めることにより、前記汚れ検査用コンタクトレンズの汚れ付着量から、前記組合せにおける適合性の等級が一義的に求められるデータベースを作成し、
かかるデータベースを用いて、前記装用者における前記汚れ検査用コンタクトレンズの汚れ付着量から、前記装用者に適合するコンタクトレンズとそのケアシステムが選定される請求項１乃至請求項１０の何れかに記載のコンタクトレンズとそのケアシステムの選定方法。
【請求項１２】
前記汚れ検査用コンタクトレンズの汚れ付着量を検出した前記装用者に対して、追跡調査を行ない、前記複数のコンタクトレンズ及び複数のケアシステムの中から選ばれた該装用者の使用するコンタクトレンズとそのケアシステムにおいて、コンタクトレンズの汚れ付着量や眼科的な問題の発生状況等の追跡調査データを、前記データベースに蓄積する請求項１１に記載のコンタクトレンズとそのケアシステムの選定方法。
【発明の詳細な説明】
【０００１】
【技術分野】
本発明は、コンタクトレンズとそのケアシステムの選定方法に係り、特に、ココンタクトレンズを購入したり、交換したりする際に、装用者の眼に悪影響を与えない、適切なコンタクトレンズとそのケアシステムを選定するための方法に関するものである。
【０００２】
【背景技術】
よく知られているように、コンタクトレンズは、主に屈折異常という疾病を治療するための器具であり、また、その安全性が確保されなければならないところから、医療用具として取り扱われており、購入するコンタクトレンズを決定するに際しては、一般に、以下のような検査が行なわれている。
【０００３】
先ず、購入者（装用者）に対して、今までに罹った眼の病気や身体の病気等を問診した後、前眼部（角膜、前房）や外眼部（結膜、瞼）に傷や炎症がないか、水晶体の位置は正常か、濁っていないか、眼底に病気はないか、涙の量は適当かどうか等、眼における異常の有無が検査されると共に、装用者の眼にフィットし、良好な視力が確保されるコンタクトレンズを選ぶために、角膜の丸みや視力が測定されて、装用者の眼に適したベースカーブやレンズ度数等が調べられるのである。
【０００４】
そして、そのような検査結果や、購入者が希望乃至は指定するコンタクトレンズのタイプ（例えば、ソフトコンタクトレンズやハードコンタクトレンズ、ディスポーザブルレンズ等）を考慮して、装用者にフィットするコンタクトレンズが選択されているのである（例えば、非特許文献１に開示されている）。また、かくの如くして、コンタクトレンズが選定されると、そのコンタクトレンズがより良い状態で、より長く使用され得るように、かかるコンタクトレンズの素材等に応じて、コンタクトレンズに付着する汚れ等を除去せしめるための液剤やそのような液剤を用いたケア方法等からなるケアシステムも同時に選定されている。（しかしながら、イオン性の含水性コンタクトレンズにあっては、蛋白質が短時間で大量に付着することが知られている。）
【０００５】
一方、近年においては、眼に対する安全性を考慮して、コンタクトレンズに充分な酸素透過性を付与するために、有機シリコーン系成分（ケイ素含有成分）を高い割合において含むコンタクトレンズが、提案されてきているのであるが、そのようなコンタクトレンズにあっては、有機シリコーン成分の配合量を増加させることにより、Ｄｋ値（酸素透過係数）の向上が効果的に実現されるものの、それに付随して、涙液中に含まれる蛋白質や脂質等による汚れが付着し易いものとなっている。この種の汚れは、通常、適当なケアシステムを採用することによって除去され得るのであるが、涙液中に蛋白質や脂質等の汚れ成分が多く含まれている人にあっては、コンタクトレンズの表面や内部に汚れが特に付着し易いところから、通常のケアを施しても、汚れの除去を充分に行なうことが出来ず、汚れ成分の固着、蓄積によって、装用感の悪化や酸素透過性能の低下、レンズ寿命の低下、視力の低下、角膜障害等といった様々な問題が惹起される可能性が高く、その装用が望ましくないものとなっているのである。
【０００６】
しかしながら、現状のコンタクトレンズの選定手法においては、コンタクトレンズのフィッティングやその装用感の検査が行なわれているに過ぎず、装用者がコンタクトレンズを汚し易く、上述せる如き問題を起こし易いか、起こし難いかどうかは、コンタクトレンズの購入後、装用者がそのコンタクトレンズを使用して、レンズが曇る、眼が充血する等といった自覚症状を感じ、そのコンタクトレンズを検査してからでなければ、分からないのが実情であり、このため、コンタクトレンズの選定時に、装用者にとって望ましくないコンタクトレンズやケアシステムが選択されてしまうことが、往々にしてあったのである。
【０００７】
なお、本発明に関連する代表的な先行技術文献情報としては、以下のものを挙げることが出来る。
【非特許文献１】
株式会社メニコンホームページ内、“あなたのレンズができるまで”、［ｏｎｌｉｎｅ］、［平成１４年８月２３日検索］、インターネット＜ＵＲＬ：ｈｔｔｐ：／／ｗｗｗ．ｍｅｎｉｃｏｎ．ｃｏ．ｊｐ／ｆｉｒｓｔ／ｌｅｎｓ．ｈｔｍｌ＞
【特許文献１】
特開２００２−１１６１５０号公報
【特許文献２】
特開昭５８−２２２１５４号公報
【特許文献３】
特開昭５８−２２２１５５号公報
【特許文献４】
特開２０００−６５８４０号公報
【特許文献５】
特開２００１−１６６２７０号公報
【特許文献６】
特開平１１−３０４８０３号公報
【０００８】
【解決課題】
ここにおいて、本発明は、かかる事情を背景にして為されたものであって、その主たる解決課題とするところは、コンタクトレンズに蛋白質や脂質等の汚れが付着，蓄積することにより、装用感の悪化や酸素透過性能の低下、レンズ寿命の低下、視力の低下、角膜障害等の眼への悪影響が惹起されるようなことを防止乃至は回避することにあり、特に、本発明にあっては、そのような問題の発生が可及的に回避され得るような、装用者に適合するコンタクトレンズとそのケアシステムを選定することで、眼に対する安全性を高度に確保する方法を、提供することにある。
【０００９】
【解決手段】
そして、本発明は、上述の如き課題を解決するために為されたものであって、その要旨とするところは、（ａ）汚れ検査用コンタクトレンズをその汚れ検査に必要な所定の短時間の間装用せしめることによって得られる、汚れの付着した汚れ検査用コンタクトレンズを準備するステップと、（ｂ）この得られた汚れ検査用コンタクトレンズから、蛋白質汚れの付着量及び／又は脂質汚れの付着量を検出するステップと、（ｃ）該検出された汚れ付着量に基づいて、複数のコンタクトレンズ及び複数のケアシステムの中から、前記装用者に適合するコンタクトレンズとそのケアシステムの組合せを選定するステップとを、含むことを特徴とするコンタクトレンズとそのケアシステムの選定方法にある。
【００１０】
要するに、かくの如き本発明に従うコンタクトレンズとそのケアシステムの選定方法においては、これまでコンタクトレンズの選定時に検査されることのなかった、装用者の眼の汚れ付着性（装用者毎の眼の特性に基づくところのコンタクトレンズの汚れ易さの程度）を、汚れ検査用コンタクトレンズを用いて検査し、その結果から、かかる装用者に適合するコンタクトレンズとそのケアシステムを選定するようにしているところから、コンタクトレンズを使い始める前に、装用者に将来的に起こり得る、装用感の悪化や酸素透過性能の低下、レンズ寿命の低下、視力の低下、角膜障害等といった様々な問題を予測することが可能となり、装用者に対して、より安全性の高いコンタクトレンズを提供することが出来るようになるのである。
【００１１】
なお、かかる本発明に従うコンタクトレンズとそのケアシステムの選定方法における好ましい態様の一つによれば、前記汚れ検査用コンタクトレンズの装用時間は、１５分以内、更には、５分以内であることが望ましく、このような短い装用時間が採用されることによって、検査の煩わしさが可及的に抑制され得ることは勿論のこと、コンタクトレンズやケアシステムの選定が短時間に行なわれ得るのである。
【００１２】
また、本発明における好ましい他の態様の一つによれば、前記汚れ付着量の検出が、前記汚れの付着した汚れ検査用コンタクトレンズに対して、該汚れを励起させて蛍光を生ぜしめ得る励起光を照射するステップと、かかる励起光の照射によって該汚れ検査用コンタクトレンズに付着した汚れから生じる蛍光にて形成されるレンズ蛍光像を、ＣＣＤカメラで検知するステップと、該検知されたレンズ蛍光像の蛍光強度から、前記汚れ検査用コンタクトレンズに付着した汚れ付着量を求めるステップとを、含む蛍光分光分析法により、行なわれる構成が、好適に採用され得る。このような構成を採用すれば、非接触及び非破壊にて、汚れ検査用コンタクトレンズに付着した汚れの付着量を迅速に定量することが可能となると共に、その汚れの付着部位も、また、同時に測定され得るのである。
【００１３】
さらに、前記汚れの付着した汚れ検査用コンタクトレンズにおける蛋白質汚れを検出するに際しては、前記励起光として、２８０〜３２０ｎｍの波長の光が用いられることが望ましく、また、前記汚れの付着した汚れ検査用コンタクトレンズにおける脂質汚れを検出するに際しては、前記励起光として、３４０〜３８０ｎｍの波長の光が用いられることが望ましい。これによって、蛋白質汚れや脂質汚れを、より一層効果的に且つ選択的に検出することが出来るのである。
【００１４】
なお、本発明に従うコンタクトレンズとそのケアシステムの選定方法の好ましい態様の別の一つによれば、前記汚れ付着量の検出が、前記汚れの付着した汚れ検査用コンタクトレンズを、該汚れを発色し得る試薬を含有する溶液に接触し、汚れを発色せしめるステップと、かかる発色された汚れ検査用コンタクトレンズを、ＣＣＤカメラにて撮像して、レンズ発色像を検知するステップと、該検知されたレンズ発色像の発色強度から、前記汚れ検査用コンタクトレンズに付着した汚れ付着量を求めるステップとを、含む比色分析法により、行なわれる構成が、好適に採用され得る。このような構成にあっても、汚れ検査用コンタクトレンズに付着した汚れの付着量の測定のみならず、その付着部位もまた同時に測定され得るのである。
【００１５】
また、前記汚れ検査用コンタクトレンズとしては、▲１▼５０％以上の含水率を有し、且つ、イオン性基含有モノマーを１重量％以上の割合において結合含有する重合体からなるイオン性コンタクトレンズや、▲２▼シリコーン含有モノマーを５０重量％以上の割合において結合含有する重合体からなる非含水性硬質コンタクトレンズ、▲３▼１０％以上の含水率を有し、且つ、シリコーン含有モノマーを４０重量％以上の割合において結合含有する重合体からなる含水性軟質コンタクトレンズ等が、好適に採用され得ることとなる。これら▲１▼〜▲３▼のコンタクトレンズは、何れも、汚れが付着し易いものであるところから、装用者の汚れ付着性をより一層効果的に、且つ短時間の装用で、検知し得るようになるのである。
【００１６】
さらに、本発明に従う他の好ましい態様の一つによれば、前記装用者の指定したコンタクトレンズとそのケアシステムの組合せが、前記汚れ付着量に基づいて選定された前記コンタクトレンズとそのケアシステムの組合せと比較されて、その適合性が判定されるステップを、更に含む構成も、好適に採用され得る。
【００１７】
加えて、本発明に従うコンタクトレンズとそのケアシステムの選定方法の好ましい別の態様の一つによれば、前記複数のコンタクトレンズ及び前記複数のケアシステムの中から、それぞれ１種ずつを選択して組み合わせ、その組合せ毎に、充分な装用期間にわたって、複数の被験者に、該組み合わされたコンタクトレンズの装用とそのケアを行なわせた後、そのコンタクトレンズの蛋白質汚れの付着量及び／又は脂質汚れの付着量を検出し、該検出された複数の被験者の汚れ付着量の分布を、複数に分割して、該組合せにおける適合性の等級分けを行なう一方、前記複数の被験者に、前記装用者と同様にして、汚れ検査用コンタクトレンズを装用せしめて、該汚れ検査用コンタクトレンズにおける蛋白質汚れの付着量及び／又は脂質汚れの付着量を検出し、前記組合せにおける被験者の汚れ付着量と、前記汚れ検査用コンタクトレンズにおける被験者の汚れ付着量との相関を求めることにより、前記汚れ検査用コンタクトレンズの汚れ付着量から、前記組合せにおける適合性の等級が一義的に求められるデータベースを作成し、かかるデータベースを用いて、前記装用者における前記汚れ検査用コンタクトレンズの汚れ付着量から、前記装用者に適合するコンタクトレンズとそのケアシステムが選定される構成が、好適に採用され得る。このような構成を採用すれば、より一層適確に且つ容易に、装用者に適合するコンタクトレンズとそのケアシステムの選定を行なうことが可能となり、装用感の悪化や酸素透過性能の低下、レンズ寿命の低下、視力の低下、角膜障害等の眼への悪影響が惹起されるようなことが、極めて効果的に防止乃至は回避され得るようになるのである。
【００１８】
また、本発明における好ましい態様の他の一つによれば、前記汚れ検査用コンタクトレンズの汚れ付着量を検出した前記装用者に対して、追跡調査を行ない、前記複数のコンタクトレンズ及び複数のケアシステムの中から選ばれた該装用者の使用するコンタクトレンズとそのケアシステムにおいて、コンタクトレンズの汚れ付着量や眼科的な問題の発生状況等の追跡調査データを、前記データベースに蓄積することが、望ましい。
【００１９】
【発明の実施の形態】
以下、本発明を更に具体的に明らかにするために、本発明の実施の形態について、図面を参照しつつ、詳細に説明することとする。
【００２０】
一般に、眼科やコンタクトレンズ販売店等には、図１に示されるように、複数の種類に分類されるコンタクトレンズ（図１中、レンズＡ〜レンズＤ）や、洗浄効果や消毒効果の異なる複数のケアシステム（図１中、ＣＳ−１〜ＣＳ−４）が用意されている。そして、コンタクトレンズの中から或るコンタクトレンズが選択されると、そのコンタクトレンズをケアするためのケアシステムも選択されるようになっている。なお、かかるコンタクトレンズは、商品毎に分類されても何等差支えないのであるが、レンズの汚れ易さは主としてレンズの材質に大きく左右されるところから、少なくとも材質毎に分類されておれば充分であり、図１においては、材質に応じて、レンズＡ〜レンズＤの４つのレンズに分類されている。また、本発明において、ケアシステムとは、コンタクトレンズを浸漬するコンタクトレンズ用液剤のみならず、コンタクトレンズをケアするために必要な液剤や錠剤、煮沸消毒器等のケア用品を組み合わせ、セット化したものをも含み、図１には、洗浄，濯ぎ，消毒，保存が一つの液剤で可能なケアシステム１（ＣＳ−１）や、洗浄，濯ぎ，消毒，保存が可能な液剤に、更に蛋白質除去液剤を組み合わせて、セット化したＣＳ−２、液剤と錠剤とをセットにしたＣＳ−３、液剤と煮沸消毒器をセットにしたＣＳ−４が示されているが、これらに何等限定されるものではない。
【００２１】
そして、本実施形態においても、複数種類のコンタクトレンズからなるコンタクトレンズ群、及び複数種類のケアシステムからなるケアシステム群の中から、適切なコンタクトレンズとそのケアシステムが組み合わされて、選定されることとなるのであるが、本実施形態にあっては、そのような選定に先立って、所定の検査が行なわれ、かかる検査の結果に基づいて、装用者乃至は購入者に適合するコンタクトレンズとそのケアシステムの選定が行なわれるようになっており、そこに、大きな特徴が存しているのである。
【００２２】
より詳細には、コンタクトレンズ等の選定を行なう前に、装用者の眼の汚れ付着性が検査されるのである。即ち、先ず、装用者に、検査に必要な所定の短時間、汚れ検査用のコンタクトレンズを装用させるのである。この際、装用時間としては、装用者に、検査が煩わしい等といった不快感を抱かせるようなことが有利に回避され得ると共に、コンタクトレンズ等の選定が迅速に行なわれ、その作業性が向上し得るように、出来るだけ短時間であることが望ましく、１５分以下、更には、５分以下とされることが望ましい。
【００２３】
また、汚れ検査用コンタクトレンズとしては、特に限定されるものではないものの、上記した汚れ検査に必要な装用時間の短時間化が効果的に図られ、また、汚れ付着性の個人差がより一層明確となって、検査結果の信頼性が有利に向上され得るように、蛋白質や脂質等の汚れが付着し易いコンタクトレンズが、好適に採用され得るのである。
【００２４】
そのようなコンタクトレンズとしては、従来より、汚れが付着し易いレンズとして知られている、▲１▼５０％以上の含水率を有し、且つ、イオン性基含有モノマーを１重量％以上の割合において結合含有する重合体からなるイオン性コンタクトレンズや、▲２▼シリコーン含有モノマーを５０重量％以上の割合において結合含有する重合体からなる非含水性硬質コンタクトレンズ、▲３▼１０％以上の含水率を有し、且つ、シリコーン含有モノマーを４０重量％以上の割合において結合含有する重合体からなる含水性軟質コンタクトレンズ等を、例示することが出来る。
【００２５】
より詳細には、上記▲１▼のイオン性コンタクトレンズにあっては、それを構成する高分子材料が、メタクリル酸やアクリル酸、イタコン酸、マレイン酸等のイオン性基含有モノマーを、１重量％以上の割合において含有するモノマー組成物から形成されているところから、高分子材料中に結合，含有せしめられたイオン性基によって、レンズ自体がイオン性を帯び、汚れを吸着し易くなっているのである。
【００２６】
また、シリコーン含有モノマーを結合，含有する上記▲２▼、▲３▼のコンタクトレンズにあっても、それぞれ、５０重量％以上及び４０重量％以上の割合において含有せしめられた、シリコーン含有メタクリレートやシリコーン含有アクリレート、シリコーン含有マクロモノマー等のシリコーン含有モノマーによって、レンズが汚れ易くなっているのである。
【００２７】
そして、上述せるような汚れ検査用コンタクトレンズを、所定時間装用せしめた後、かかる汚れ検査用コンタクトレンズを、装用者の眼から取り外し、汚れの付着したレンズを得る。
【００２８】
次いで、そのようにして得られたレンズを、従来より公知の分析手法等を用いて分析することによって、レンズに付着した汚れの付着量を検出するのである。このとき、検出する汚れとしては、コンタクトレンズの装用感の悪化や酸素透過性能の低下、レンズ寿命の低下、視力の低下、角膜障害等の問題を招来する恐れのあるものとして知られている、蛋白質や脂質があり、蛋白質汚れの付着量、或いは脂質汚れの付着量だけが検出されても、何等差支えないのであるが、両者の付着量がそれぞれ検出されることが望ましい。
【００２９】
ところで、コンタクトレンズに付着した汚れの付着量を検出乃至は分析する方法としては、大別して、（１）コンタクトレンズに付着した汚れを、適当な抽出液にて抽出し、その得られた抽出溶液中に含まれる汚れを定量することにより、レンズに付着する汚れを間接的に定量する方法、（２）汚れの付着したコンタクトレンズを、直接、ＣＣＤカメラ等にて撮像することにより、付着する汚れを定量する方法の２つの手法が挙げられ、どちらの手法が採用されても良いのであるが、より好適には、後者の（２）の手法が採用されることが望ましい。なぜならば、（１）の手法は、レンズに付着する汚れを抽出する操作が必要であるために、検出操作が煩雑となる傾向があるからであり、また、（２）の手法は、汚れ付着量の他にも、汚れの付着部位を知ることが出来るからである。
【００３０】
より詳細には、上記（２）の手法の一つとして、（ｉ）特開平２００２−１１６１５０号公報（特許文献１）に提案される如き手法、即ち、汚れの付着したコンタクトレンズに対して、所定の励起光を照射することにより、その汚れを励起させて、蛍光を発生させ、そして、かかるコンタクトレンズに付着した汚れから生じる蛍光を、レンズ全面に亘って、ＣＣＤカメラ等の撮像装置にて撮像することによって、レンズ蛍光像（蛍光から構成されるレンズ画像）を検知して、その蛍光強度（輝度値）から、汚れ検査用コンタクトレンズに付着した汚れの付着量を定量する蛍光分光分析法を例示することが出来る。このような検出法を採用すれば、装用者から得られた汚れ検査用コンタクトレンズに対して、何等手を加えることなく、そのまま、非接触及び非破壊にて、汚れ検査用コンタクトレンズに付着した蛋白質汚れや脂質汚れの付着量を、それぞれ、迅速に定量することが出来るのである。しかも、その汚れの付着部位等も同時に検知されるところから、その画像を装用者に提示すれば、優れた説得力をもって、汚れ付着性を知らせることが出来るようになるといった利点が得られるのである。
【００３１】
なお、このような（ｉ）の蛍光分光分析法を採用するに際して、前記励起光としては、当然のことながら、汚れを励起させて蛍光を発生することが出来る光が採用されるのであり、蛋白質汚れに対しては、２８０〜３２０ｎｍの波長範囲の光が、また、脂質汚れに対しては、３４０〜３８０ｎｍの波長範囲の光が、それぞれ、励起光として好適に用いられることとなる。そして、これらの波長範囲内の特定の励起光を照射することによって、蛋白質汚れや脂質汚れを、より一層効果的に且つ選択的に検出することが出来るのである。
【００３２】
また、上記（ｉ）とは異なる手法として、（ｉｉ）汚れの付着したコンタクトレンズを、所望とする汚れを選択的に発色乃至は染色せしめ得るような試薬溶液に浸漬する等して接触せしめることにより、コンタクトレンズに付着する汚れを発色乃至は染色させ、そして、その汚れが発色したコンタクトレンズを、レンズ全面に亘って、ＣＣＤカメラ等の撮像装置にて撮像することによって、レンズ発色像（発色された汚れが付着したコンタクトレンズの画像）を検知して、その発色強度（色の濃淡）から、上記（ｉ）の検出法と同様にして画像解析を行なうことにより、汚れ検査用コンタクトレンズに付着した汚れの付着量を定量する比色分析法を挙げることが出来る。このような検出法にあっても、汚れ検査用コンタクトレンズに付着した汚れの付着量を、それぞれ、迅速に定量することが可能となると共に、その汚れの付着部位も、また、同時に検知され得るのである。
【００３３】
なお、この（ｉｉ）の手法に採用される、汚れを発色し得る試薬としては、蛋白質や脂質等の汚れを選択的に染色し得るものが、より望ましく、具体例として、例えば、特開昭５８−２２２１５４号公報（特許文献２）に提案されているニールブルー硫酸塩や、特開昭５８−２２２１５５号公報（特許文献３）のエリトロシン、特開２０００−６５８４０号公報（特許文献４）に提案されている非塩基性染料や塩基性染料、特開２００１−１６６２７０号公報（特許文献５）に開示の染料、また、特開平１１−３０４８０３号公報（特許文献６）に提案されているトリフェニルメタン系色素等を挙げることが出来るが、これらに何等限定されるものではない。これらの中でも、特に、トリフェニルメタン系色素が、好適に採用され得る。
【００３４】
そして、このような試薬を含有する溶液に、コンタクトレンズを漬けることにより、汚れ付着部分が染色されて、目視でも、その汚れの程度であれば、容易に確認することが出来るのである。また、このような発色試薬を用いることにより、付着した汚れが微量であっても、その付着量を画像解析により、感度良く検出することが出来るようになるのである。
【００３５】
更にまた、別の検出方法として、上記（ｉｉ）の手法で採用される発色試薬に代えて、蛍光試薬を用いることにより、汚れ付着量を検出することも可能である。なお、このような蛍光試薬を用いる場合には、勿論、上記（ｉ）の手法と同様に、適当な励起光が照射され、そして、検知された蛍光の強度（輝度値）から、汚れ付着量が求められることとなる。
【００３６】
かくして、上述した分析手法やその他公知の分析手法のうちの何れかを用いて、汚れ付着量が求められると、その数値が、装用者の眼の汚れ付着性を表わす指標とされ、かかる汚れ付着量に基づいて、図１に示される如き複数のコンタクトレンズ及び複数のケアシステムの中から、上記の汚れ検査を行なった装用者に適合するコンタクトレンズとそのケアシステム、換言すれば、汚れが付着，蓄積し難く、以て、装用感の悪化や酸素透過性能の低下、レンズ寿命の低下、視力の低下、角膜障害等といった問題が発生し難いと推測されるコンタクトレンズとそのケアシステムが選定されるのである。
【００３７】
そして、適合するコンタクトレンズとそのケアシステムの組合せが選定されると、装用者（購入者）は、その選定結果に基づいて、より安全性の高いコンタクトレンズを取得することが出来るようになるのである。また、特に、装用者が、特定のコンタクトレンズやそのケアシステムを予め指定（希望）した場合にあっては、装用者が指定したコンタクトレンズとそのケアシステムの組合せを、上述で得られた選定結果と照合乃至は比較することにより、その指定した組合せが、該装用者に適合するか、否かの判定（適合性の判定）を行なうことも出来るのである。
【００３８】
ところで、汚れ検査用コンタクトレンズの汚れ付着量に基づいて、装用者に適合するコンタクトレンズとそのケアシステムの組合せを選定するに際しては、予め、適当な選定基準が設けられていることが望ましく、このような選定基準を設けることによって、画一的及び客観的な選定が有利に実現され得ることとなる。
【００３９】
なお、そのような選定基準の設定には、例えば、以下のような方法が、好適に採用され得る。
【００４０】
１．汚れの付着量及び臨床的な検査結果から選定基準を設定する方法
先ず、複数のコンタクトレンズ及び複数のケアシステムの中から、それぞれ、１種ずつを選択して、組み合わせる。例えば、図１において、コンタクトレンズ群の中からレンズＣを選択すると共に、ケアシステム群の中からＣＳ−１を選択する。
【００４１】
そして、任意の複数の被験者（Ｙ１  〜Ｙｎ  ）に、所定期間（１２週間）、レンズＣの装用と、ＣＳ−１を用いたレンズＣのケアを行なわせる装用試験を実施した後、試験後のレンズＣに付着，蓄積した蛋白質汚れの付着量（Ｐ１２１  〜Ｐ１２ｎ  ）と脂質汚れの付着量（Ｌ１２１  〜Ｌ１２ｎ  ）をそれぞれ検出するのである。（ここで、Ｐ，Ｌの上付きの数字「１２」は、装用期間である１２週間を示し、下付きの数字「１」〜「ｎ」は、被験者を識別するための番号を示している。）
【００４２】
なお、レンズＣとＣＳ−１の組合せでは、試験期間が１２週間とされていたが、かかる試験期間は、レンズの種類に応じて、充分な装用期間が適宜に設定されるのである。例えば、ディスポーザブルレンズの場合には、１週間等といった使用期間（使用期限）が、予め設定されており、そのような使用期間を超えて装用試験を行なうことは望ましくないところから、例えば、かかる使用期間（使用期限）が、試験期間として好適に採用され得るのである。また、コンベンショナルレンズの場合は、使用期間が２，３年と極めて長いところから、そのような使用期間を試験期間とすることは困難であり、このため、被験者の汚れ付着量が略一定となる充分な期間が、試験期間として好適に採用され得ることとなる。具体的には、図２には、レンズＣとＣＳ−１の組合せを用いて、被験者（Ｙ１  〜Ｙ３  ）が装用試験を行なった際に、除去しきれずにレンズＣに付着，蓄積した汚れの付着量と装用期間の関係を示すグラフが示されているのであるが、どの被験者も、レンズＣに付着，蓄積する汚れの量が、略１２週目ぐらいで一定となっていることが分かる。このため、１２週間以上の期間、装用試験を行なっても、大きな変化は見られないと考えられるところから、レンズＣとＣＳ−１の組合せでは、試験期間として、１２週間が採用されているのであるが、これに何等限定されるものではないことは、言うまでもないところである。
【００４３】
また、上記で検出したレンズＣの汚れ付着量とは別に、装用試験後に、被験者（Ｙ１  〜Ｙｎ  ）の眼について、臨床的な検査を実施し、その評価を行なうのである。かかる評価は、例えば、下記表１の評価基準を用いて、被験者毎にスコアを算出することによって行なわれる。なお、本実施形態においては、臨床的な検査として、自覚検査と他覚検査を行ない、自覚検査では、被験者自身が、レンズＣの装用感や眼の乾燥感等を評価する一方、他覚検査では、眼科医等の他人が、被験者の眼の乾きや充血、角膜染色（フルオレセイン等による角膜染色検査による角膜の染色）等を評価した。
【００４４】
【表１】
2004212813.tif 000003
【００４５】
そして、そのようにして得られた臨床的な検査の結果を用いて、上述せる如くして検出された複数の被験者（Ｙ１  〜Ｙｎ  ）の蛋白質汚れ付着量（Ｐ１２１  〜Ｐ１２ｎ  ）と脂質汚れ付着量（Ｌ１２１  〜Ｌ１２ｎ  ）の分布を、それぞれ、複数に分割して、かかるレンズＣとＣＳ−１の組合せの適合性を、複数のグレードに分ける等級分けを行なうのである。
【００４６】
なお、かかる汚れ付着量の分布を複数に分割する手法としては、次の手法を一例として挙げることが出来る。具体的には、先ず、上記で得られた臨床的な検査の結果を、下記表２に示される評価基準にて４つに分け、「スコア３以上のものが無く、且つスコア合計が６〜９である」被験者のプロットには◇印を、また、「スコア３があるか、若しくはスコア合計が１０以上である」被験者のプロットには■印を、更に、「スコア４がある」被験者のプロットには×印を用いて、検出された蛋白質汚れ付着量（Ｐ１２１  〜Ｐ１２ｎ  ）と脂質汚れ付着量（Ｌ１２１  〜Ｌ１２ｎ  ）を、被験者毎〔（Ｐ１２１  ，Ｌ１２１  ）、（Ｐ１２２  ，Ｌ１２２  ）・・・〕にプロットする（図３）。
【００４７】
【表２】
2004212813.tif 000004
【００４８】
次いで、被験者（Ｙ１  〜Ｙｎ  ）の汚れ付着量がプロットされた図３に示されるグラフを用いて、×印でプロットされた汚れ付着量の最小値若しくは該最小値よりも小さな値、■印でプロットされた汚れ付着量の最小値若しくは該最小値よりも小さな値、及び、◇印でプロットされた汚れ付着量の最小値若しくは該最小値よりも小さな値が、それぞれ、閾値となるように、蛋白質汚れ付着量（Ｐ１２１  〜Ｐ１２ｎ  ）の分布と脂質汚れ付着量（Ｌ１２１  〜Ｌ１２ｎ  ）の分布を、図３及び下記表３に示されるように、それぞれ、４つに分割して、等級分けを行なうのである。なお、かかる表３では、蛋白質汚れ４通り×脂質汚れ４通りの計１６個の領域におけるレンズＣとＣＳ−１の組合せの適合性が、◎：装用に全く問題がない、○：装用に問題がない、▲：装用に注意が必要、●：装用が薦められない、という４つ等級に分けられている。
【００４９】
【表３】
2004212813.tif 000005
【００５０】
しかしながら、かかる表３に示されるように行なわれたレンズＣとＣＳ−１の組合せにおける適合性の等級分けは、そのままでは、本発明の目的とするコンタクトレンズとそのケアシステムの選定基準として用いることが困難であるところから、レンズＣとＣＳ−１の組合せにおける汚れ付着量〔（Ｐ１２１  ，Ｌ１２１  ）〜（Ｐ１２ｎ  ，Ｌ１２ｎ  ）〕と、前述せる如き汚れ検査用コンタクトレンズにおける汚れ付着量との相関関係を求めることとなる。このため、上記装用試験（レンズＣとＣＳ−１を用いた検査）とは別に、被験者（Ｙ１  〜Ｙｎ  ）に対して、前述せる如き汚れ検査（汚れ検査用コンタクトレンズを用いた検査）を、同様にして行ない、各被験者の検査用コンタクトレンズにおける汚れ付着量〔（Ｐ０１，Ｌ０１）〜（Ｐ０ｎ，Ｌ０ｎ）〕を検出するのである。
【００５１】
かくして、装用試験と汚れ検査が実施されると、下記表４に示されるように、被験者毎に、各検査の結果が得られることとなる。そして、そのようにして得られた結果から、装用試験における汚れ付着量（Ｐ１２，Ｌ１２）と汚れ検査における汚れ付着量（Ｐ０，Ｌ０）との相関関係を、最小自乗法や多重解析法、多変量解析等の従来から公知の解析方法の何れかを用いて、求める。本実施形態では、最小自乗法を用いて、それらの関係を、汚れ別に求めたところ、下記式１，２に示される関係式が得られた。
【００５２】
【表４】
2004212813.tif 000006
【００５３】
【数１】
2004212813.tif 000007
【数２】
2004212813.tif 000008
【００５４】
このようにして、装用試験における汚れ付着量（Ｐ１２，Ｌ１２）と汚れ検査における汚れ付着量（Ｐ０，Ｌ０）との相関関係が求められると、汚れ検査における汚れ付着量（Ｐ０，Ｌ０）から、レンズＣとＣＳ−１を用いた装用試験を実際に行なわなくても、それらを使用した際の汚れの付着量を推測することが出来、適合性の等級を一義的に求めることが出来るようになるのである。なお、本実施形態では、上記で得られた式１，２を用いて、装用試験における汚れ付着量（Ｐ１２，Ｌ１２）を、汚れ検査における汚れ付着量（Ｐ０，Ｌ０）に換算することによって、上記表３のグレード表を、下記表５に示されるグレード表に変換した。
【００５５】
【表５】
2004212813.tif 000009
【００５６】
このように、汚れ検査における汚れ付着量（Ｐ０，Ｌ０）に応じて等級分けが行なわれたグレード表（表５）を用いれば、汚れ検査用コンタクトレンズに付着した汚れの付着量から、上記した関係式を用いて換算を行なうことなく、適合性の等級を一義的に求められるようになっているのである。従って、かかるグレード表（表５）は、レンズＣとＣＳ−１の組合せにおける選定基準として、好適に使用され得るのである。
【００５７】
また、レンズＣとＣＳ−１の組合せ以外の組合せ（レンズＡとＣＳ−１、レンズＢとＣＳ−１、レンズＤとＣＳ−１、レンズＡとＣＳ−２、・・・、・・・）についても、同様にしてグレード表を作成すれば、図１に示されるコンタクトレンズ群及びケアシステム群から、装用者に適合するコンタクトレンズとそのケアシステムを選定するための選定基準のデータベースが作成されるのである。
【００５８】
そして、上述せる如くして作成されたデータベースを用いて、前記装用者（購入者）に適合するコンタクトレンズ及びそのケアシステムを選定するには、前述せるように、先ず、装用者に対して汚れ検査を行なって、汚れの付着した汚れ検査用コンタクトレンズから、蛋白質汚れの付着量（Ｐ０  ）と脂質汚れの付着量（Ｌ０  ）を検出する。そして、各コンタクトレンズとケアシステムの組合せ毎に作成されたグレード表に、それぞれ、検出された汚れ付着量を当てはめて、各組合せ毎に適合性を求め、装用に問題がないと推測される組合せを抽出すれば、装用者に適合するコンタクトレンズとケアシステムの組合せが選定されるのである。例えば、装用者の蛋白質汚れの付着量と脂質汚れの付着量が、それぞれ、０．１０μｇと０．１２μｇであった場合、レンズＣとＣＳ−１の組合せは、表５のグレード表から、「装用に問題がない（○）」と推測され、適合する組合せの１つとして抽出される。
【００５９】
このようにして、選定基準となるデータベースを用いれば、装用者（購入者）における汚れ検査用コンタクトレンズの汚れ付着量から、装用者に適合するコンタクトレンズとそのケアシステムの組合せを、より一層適確に、且つ容易に選定することが可能となるのであり、装用感の悪化や酸素透過性能の低下、レンズ寿命の低下、視力の低下、角膜障害等の眼への悪影響が惹起されるようなことが、極めて効果的に防止乃至は回避され得るようになるのである。
【００６０】
２．汚れの付着量から選定基準を設定する方法
上記の「１．汚れの付着量及び臨床的な検査結果から選定基準を設定する方法」と同様に、先ず、複数のコンタクトレンズ及び複数のケアシステムの中から、それぞれ、１種ずつを選択して、組み合わせ（ここでも、レンズＣとＣＳ−１）、任意の複数の被験者（Ｙ１  〜Ｙｎ  ）に、所定期間（１２週間）、レンズＣの装用と、ＣＳ−１を用いたレンズＣのケアを行なわせる装用試験を実施した後、レンズＣに付着，蓄積した蛋白質汚れの付着量（Ｐ１２１  〜Ｐ１２ｎ  ）と脂質汚れの付着量（Ｌ１２１  〜Ｌ１２ｎ  ）を検出する。
【００６１】
そして、上述せる如くして検出された複数の被験者（Ｙ１  〜Ｙｎ  ）の蛋白質汚れ付着量（Ｐ１２１  〜Ｐ１２ｎ  ）と脂質汚れ付着量（Ｌ１２１  〜Ｌ１２ｎ  ）から、それぞれの平均値と標準偏差（σ）を求め、そして、その得られた平均値と標準偏差に基づいて、上記で検出された複数の被験者の汚れ付着量の分布を、複数に分割して、かかるレンズＣとＣＳ−１の組合せの適合性の等級分けを行なうのであるが、ここでは、下記表６に示される評価基準を採用して、下記表７に示される如き等級分けを行なった。なお、本実施形態において、汚れ付着量の平均値と標準偏差は以下のようであった。
蛋白質汚れ  ：  ３．４±０．７（σ）
脂質汚れ    ：  ２．４±０．６（σ）
【００６２】
【表６】
2004212813.tif 000010
【００６３】
【表７】
2004212813.tif 000011
【００６４】
かかる表７に示される適合性の等級分けは、上記の「１．汚れの付着量及び臨床的な検査結果から選定基準を設定する方法」の表３に対応するものであり、そのままでは、本発明の目的とするコンタクトレンズとそのケアシステムの選定の選定基準として用いることが困難であるところから、上記の方法と同様に、被験者に対して、汚れ付着量コンタクトレンズを用いた汚れ検査を別に行なって、装用試験における汚れ付着量（Ｐ１２，Ｌ１２）と汚れ検査における汚れ付着量（Ｐ０，Ｌ０）との相関関係を、最小自乗法等の公知の解析手法にて求める。これにより、汚れ検査における汚れ付着量（Ｐ０，Ｌ０）から、レンズＣとＣＳ−１を使用した際の汚れ付着量を推測することが出来、その適合性の等級を一義的に求めることが出来るようになるのである。また、得られた関係式（ここでも、上記式１，２を用いる）から、装用試験における汚れ付着量（Ｐ１２，Ｌ１２）に応じて等級分けが行なわれた上記表７のグレード表を、汚れ検査における汚れ付着量（Ｐ０，Ｌ０）に応じて等級分けが行なわれたグレード表（下記表８）に変換することも出来る。
【００６５】
【表８】
2004212813.tif 000012
【００６６】
そして、このようにして作成されたグレード表（表８）が、上記表５のグレート表と同様に、レンズＣとＣＳ−１の組合せの選定基準として好適に採用され得るのである。また、レンズＣとＣＳ−１の組合せ以外の組合せ（レンズＡとＣＳ−１、レンズＢとＣＳ−１、レンズＤとＣＳ−１、レンズＡとＣＳ−２、・・・、・・・）についても、同様にしてグレード表を作成すれば、図１に示されるコンタクトレンズ群及びケアシステム群から、装用者に適合するコンタクトレンズとそのケアシステムを選定するための選定基準のデータベースが作成され、前記装用者（購入者）に適合するコンタクトレンズとそのケアシステムの組合せが、上記と同様に、より一層適確に、且つ容易に選定され得るのであり、装用感の悪化や酸素透過性能の低下、レンズ寿命の低下、視力の低下、角膜障害等の眼への悪影響が惹起されるようなことが、極めて効果的に防止乃至は回避され得るようになるのである。
【００６７】
以上、選定基準を設定する具体的な方法、換言すれば、装用者に適合するコンタクトレンズとそのケアシステムを選定する際に用いられるデータベースの作成方法を例示したが、本発明において、選定基準の設定は、上記した２つの方法に何等限定されるものではない。なお、より好適には、選定基準の設定には、臨床的な検査の結果が反映されることが望ましい。
【００６８】
ところで、上述せる如くして得られた選定基準（データベース）は、任意の被験者における装用試験の結果と汚れ検査の結果を基にして作成されているところから、被験者の人数：ｎが、多ければ多い程、選定基準の信頼性が向上する。このため、前記した汚れ検査を行なって、汚れ検査用コンタクトレンズに付着する汚れの付着量（Ｐ０，Ｌ０）が検出せしめられた装用者（購入者）に対して、追跡調査を行なって、その装用者の使用するコンタクトレンズとケアシステムの組合せにおける、汚れ付着量や、眼科的な問題（装用感、乾き、充血、角膜染色等）の発生状況等の追跡調査データを、更に、データベースに蓄積していくことが望ましいのである。これにより、コンタクトレンズ及びケアシステムの選定時に、より精度の良い選定が可能となる。このようなデータが、眼科やコンタクトレンズ販売店と、メーカーを結ぶネット上で蓄積されることも有用となる。
【００６９】
最後に、上述せる如き選定方法を用いてコンタクトレンズを新しく購入しようとする装用者が、レンズを決定するまでの一連の流れを、図４のフローチャートを参照しつつ、説明することとする。
【００７０】
先ず、装用者は、今までに罹った眼の病気や身体の病気等の問診を受ける（ステップ：Ｓ１）。次いで、前眼部（角膜、前房）や外眼部（結膜、瞼）に傷や炎症がないか、水晶体の位置は正常か、濁っていないか、眼底に病気はないか、涙の量は適当かどうか等の臨床的な検査を受ける（ステップ：Ｓ２）。そして、コンタクトレンズの装用に問題がなければ、次いで、装用者の眼にフィットし、良好な視力が確保されるコンタクトレンズを選ぶために、角膜の丸みや視力等が測定されて（ステップ：Ｓ３）、装用者の眼に適したコンタクトレンズのベースカーブや直径、レンズ度数等の規格が決定されるのである（ステップ：Ｓ４）。
【００７１】
その後、本発明に従って、汚れ検査用コンタクトレンズを所定時間装用する（ステップ：Ｓ５）と、その汚れ検査用コンタクトレンズに付着した汚れの付着量が検出され（ステップ：Ｓ６）、かかる汚れ付着量に基づいて、複数の商品の中から、適合するコンタクトレンズとケアシステムの組合せが選定されるのである（ステップ：Ｓ７）。
【００７２】
そして、装用者は、選定された組合せの中から適当なコンタクトレンズとそのケアシステムを選び、実際に装用して、装用感や見え方等を試すと共に、更に、装用した状態で、フィッティングや視力等の眼科的な検査をした後、問題がなければ、その選んだコンタクトレンズとケアシステムに決定するのである（ステップ：Ｓ８）。
【００７３】
以上、本発明の代表的な実施形態について詳述してきたが、それは、あくまでも例示に過ぎないものであって、本発明は、そのような実施形態に係る具体的な記述によって、何等限定的に解釈されるものではないことが、理解されるべきである。
【００７４】
例えば、上記の実施形態では、蛋白質汚れの付着量と脂質汚れの付着量が共に検出されていたが、どちらか一方のみが検出されるような構成も採用され得る。
【００７５】
また、検出された汚れ付着量（Ｐ０，Ｌ０）に基づいて、適合するコンタクトレンズとそのケアシステムの組合せを選定するに際しては、上述せる如きデータベースが好適に用いられ得るのであるが、かかるデータベースを構築したり、またデータベースから、適合する組合せを抽出するに際しては、コンピュータ等の処理装置が有利に用いられ得るのである。
【００７６】
その他、一々列挙はしないが、本発明が、当業者の知識に基づいて、種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【００７７】
【発明の効果】
以上の説明からも明らかなように、本発明に従うコンタクトレンズ及びそのケアシステムの選定方法によれば、所定の汚れ検査が行なわれ、その結果に基づいて、コンタクトレンズとそのケアシステムが選定されるようになっているところから、レンズに汚れが付着，蓄積することにより惹起される、装用感の悪化や酸素透過性能の低下、レンズ寿命の低下、視力の低下、角膜障害等といった問題の発生が効果的に回避され得るのであり、以て、眼に対する安全性が高度に確保され得ることとなる。
【図面の簡単な説明】
【図１】本実施形態において、複数のコンタクトレンズと複数のケアシステムを示す説明図である。
【図２】本実施形態において、コンタクトレンズＣとケアシステム１を用いた装用試験において、装用期間と汚れ付着量の関係を表わすグラフである。
【図３】本実施形態において、コンタクトレンズＣとケアシステム１を用いた装用試験において、コンタクトレンズＣに付着する脂質汚れ付着量と蛋白質汚れ付着量の関係を表わすグラフである。
【図４】本発明に従う選定方法を用いてコンタクトレンズ及びそのケアシステムを決定する代表的な一例に係るフローチャートを示す図である。
【図１】
2004212813.tif 000013
【図２】
2004212813.tif 000014
【図３】
2004212813.tif 000015
【図４】
2004212813.tif 000016